(57)【要約】【課題】ゴルフクラブヘッドの輪郭が如何に複雑であっても、ゴルフクラブヘッド製造用のロウ型を簡単に成形することができる上、ロウ型成形用の原型も繰り返し使用できるゴルフクラブヘッド用ロウ型の製造方法を提供することを目的とする。【解決手段】原型をロウ型本体形成型のキャビティに置く原型置き工程と、ロウを前記原型の外表面と前記ロウ型本体形成型の裏表面との間の隙間に注入して充満するロウ充満工程と、前記隙間に充満したロウを冷やして凝固させ、その外表面と裏表面とを連通している少なくとも１つの通孔を有するロウ型本体を形成するロウ型本体形成工程と、前記ロウ型本体を前記ロウ型本体形成型と前記原型から取り外すロウ型本体取外し工程と、ロウ栓を前記少なくとも１つの通孔に挿入し、目的のロウ型を形成するロウ栓挿入工程と、からなるゴルフクラブヘッド用ロウ型の製造方法を提供する。【選択図】図７
2010057789.tif 000002
【特許請求の範囲】
【請求項１】
原型をロウ型本体形成型のキャビティに置く原型置き工程と、
ロウを前記原型の外表面と前記ロウ型本体形成型の裏表面との間の隙間に注入して充満するロウ充満工程と、
前記隙間に充満したロウを凝固させ、その外表面と裏表面とを連通している少なくとも１つの通孔を有するロウ型本体を形成するロウ型本体形成工程と、
前記ロウ型本体を前記ロウ型本体形成型と前記原型から取り外すロウ型本体取外し工程と、
ロウ栓を前記少なくとも１つの通孔に挿入し、目的のロウ型を形成するロウ栓挿入工程と、
からなるゴルフクラブヘッド用ロウ型の製造方法。
【請求項２】
前記原型置き工程の前に、目的のロウ型の、同一の軸線に沿ってその断面が段段と小さくなる内外いずれの仮想表面から突出すべき部分を削除したものを基準として前記原型及び前記ロウ型本体形成型を、前記ロウ型本体取外し工程において前記原型が前記ロウ型本体から、また、前記ロウ型本体が前記ロウ型本体形成型から阻まれずに取り外される上、前記ロウ型本体形成工程において前記少なくとも１つの通孔が形成されることができるように用意し、
そして、前記ロウ栓挿入工程において前記ロウ栓の挿入により前記突出すべき部分を補完し目的のロウ型を形成することを特徴とする請求項１に記載のゴルフクラブヘッド用ロウ型の製造方法。
【請求項３】
前記ロウ栓挿入工程において、接着剤を使用して前記ロウ栓を前記通孔内に固定することを特徴とする請求項２に記載のゴルフクラブヘッド用ロウ型の製造方法。
【請求項４】
前記ロウ型本体形成工程において、前記通孔を大内径部と小内径部とを有する階段状に形成し、且つ、前記大内径部を前記ロウ型本体の外表面に、前記小内径部を前記ロウ型本体の裏表面に偏らせることを特徴とする請求項２に記載のゴルフクラブヘッド用ロウ型の製造方法。
【請求項５】
前記ロウ栓挿入工程において、前記ロウ栓として、大径部と小径部とを有し、且つ、挿入時に、該大径部が前記大内径部に内嵌し、該小径部が前記小内径部に内嵌する上、前記ロウ型本体の内部へ延びることができる管状のものを使用することを特徴とする請求項４に記載のゴルフクラブヘッド用ロウ型の製造方法。
【請求項６】
前記小径部の、前記ロウ型本体の内部に延びる先端には、雌ネジがついていてこのロウ型の利用により形成したゴルフクラブヘッドに、雄ねじがついている錘のねじつけで、その重心の調整をするようにさせることができることを特徴とする請求項５に記載のゴルフクラブヘッド用ロウ型の製造方法。
【請求項７】
前記ロウ栓挿入工程において、前記ロウ栓として、大径部と小径部とを有し、且つ、挿入時に、該小径部が前記小内径部に内嵌し、該大径部が前記大内径部に内嵌する上、前記ロウ型本体の外部へ延びることができる管状のものを使用することを特徴とする請求項４に記載のゴルフクラブヘッド用ロウ型の製造方法。
【発明の詳細な説明】
【技術分野】
【０００１】
本発明は、ゴルフクラブヘッド用ロウ型の製造方法に関し、特に、ゴルフクラブヘッドの成形に使用されるロウ型の製造方法に関する。
【背景技術】
【０００２】
ロストワックス鋳造方法は、金属ゴルフクラブヘッドの製造方法の一種である。詳しく言えば、ロウで製品と同じ形のロウ型を作り、周りを鋳砂で覆い固め、そして、ロウ型を溶融させて鋳砂からなった層にある開口から排出し、溶出後の空洞に溶融した金属を注入固化させた後、鋳砂層を破壊して成型物を取り出し、最後に、研磨や仕上げによりゴルフクラブヘッドの製造を完成する。
【０００３】
つまり、ロストワックス鋳造方法によるゴルフクラブヘッドの成形には、ロウ型が必要である。このロウ型の製造には、従来は、図１に示すように、複数の部品からなった原型１２をロウ型形成型１０のキャビティ１１に置く原型置き工程と、ロウを前記原型１２の外表面と前記ロウ型形成型１０の裏表面との間の隙間１３に注入して充満するロウ充満工程と、前記隙間１３に充満したロウを凝固させてロウ型を形成するロウ型形成工程と、前記ロウ型を前記ロウ型形成型１０と前記原型１２から取り外すロウ型取外し工程と、からなる一連の工程で行う。
【０００４】
しかしながら、このロウ型の製造方法では、ゴルフクラブヘッドの輪郭が複雑である場合、図２に示すように、ロウ型形成後に、原型１２が時々ロウ型１４の中から取り出せないようになる。即ち、この従来方法は、使用限界がかなりある。
【０００５】
それに対応して、特許文献１に記載された発明は、まず、図３に示すように、薬品溶解性ロウを原型形成型１５に注入して薬品溶解性原型１６を形成し、そして、図４に示すように、該薬品溶解性原型１６をロウ型形成型１７のキャビティ１８に置いてロウ型１９を成形してから、薬品で薬品溶解性原型１６を溶解して除去する。
【０００６】
この薬品溶解性原型によるロウ型の製造方法では、複雑な輪郭を有するロウ型を作るには問題がないが、一個のロウ型１９を製造する毎に必ず一個の専用の薬品溶解性原型１６を用意しなければならないので、製造工程が煩雑である上、コストも大きく高くなる、という欠点がある。
【特許文献１】米国特許第７，３１４，５８６号明細書
【発明の開示】
【発明が解決しようとする課題】
【０００７】
従って、本発明は、ゴルフクラブヘッドの輪郭が如何に複雑であっても、ゴルフクラブヘッド製造用のロウ型を簡単に成形することができる上、ロウ型成形用の原型も繰り返し使用できるゴルフクラブヘッド用ロウ型の製造方法を提供することを目的とする。
【課題を解決するための手段】
【０００８】
前記目的を達成するために、本発明は、原型をロウ型本体形成型のキャビティに置く原型置き工程と、ロウを前記原型の外表面と前記ロウ型本体形成型の裏表面との間の隙間に注入して充満するロウ充満工程と、前記隙間に充満したロウを凝固させ、その外表面と裏表面とを連通している少なくとも１つの通孔を有するロウ型本体を形成するロウ型本体形成工程と、前記ロウ型本体を前記ロウ型本体形成型と前記原型から取り外すロウ型本体取外し工程と、ロウ栓を前記少なくとも１つの通孔に挿入し、目的のロウ型を形成するロウ栓挿入工程と、からなるゴルフクラブヘッド用ロウ型の製造方法を提供する。
【発明の効果】
【０００９】
前記製造方法では、ロウ栓挿入工程においてロウ栓をロウ型本体のロウ型本体形成工程に形成された通孔に挿入して初めて目的のロウ型を形成するので、ロウ型本体形成工程において、目的のロウ型の、同一の軸線に沿ってその断面が段段と小さくなる内外いずれの仮想表面から突出すべき部分を削除したものだけを型本体として形成することができる。
【００１０】
それにより、前記製造方法では、ロウ型本体形成工程において形成するロウ型本体を、同一の軸線に沿ってその断面が段段と小さくなる内外両面を有するようにさせることができるので、ロウ型本体取外し工程において原型を前記ロウ型本体形成工程において形成したロウ型本体から、また、該ロウ型本体をロウ型本体形成型から阻まれずに取り外すことができる。
【００１１】
従って、本発明の製造方法は、ゴルフクラブヘッドの輪郭が如何に複雑であっても、ゴルフクラブヘッド製造用のロウ型を簡単に成形することができる上、ロウ型成形用の原型を繰り返し使用することもできる。
【発明を実施するための最良の形態】
【００１２】
以下、本発明の詳細を説明する。注意すべきは、似ている部件が同じ番号をつけている。
図５に示すように、本発明の第一実施形態に係るゴルフクラブヘッド用ロウ型の製造方法は、以下の工程からなるものである。
【００１３】
（Ａ）原型置き工程：
図６に示すように、原型３３をロウ型本体形成型３１のキャビティ３２に、原型３３の外表面３３１とロウ型本体形成型３１の裏表面３１１との間に隙間３４がなるように置く。
図示のように、ロウ型本体形成型３１においては、そのキャビティ３２と連通している注入口３５が形成されている。
【００１４】
（Ｂ）ロウ充満工程：
ロウを前記注入口３５を通じて前記隙間３４に注入して充満する。
【００１５】
（Ｃ）ロウ型本体形成工程：
前記隙間３４に充満したロウを冷やして凝固させ、ロウ型本体４１を形成する。
図６〜図８に示すように、この実施形態例におけるロウ型本体４１にはその外表面４１２と裏表面４１１とを連通している通孔４２が２つ形成されている。いずれの通孔４２も大内径部４２２と小内径部４２１とを有する階段状となっている。大内径部４２２は、ロウ型本体４１の外表面４１２に、小内径部４２１はロウ型本体４１の裏表面４１１に偏っている。
【００１６】
（Ｄ）ロウ型本体取外し工程：
前記ロウ型本体４１を前記ロウ型本体形成型３１と前記原型３３から取り外す。
【００１７】
（Ｅ）ロウ栓挿入工程：
図７及び図８に示すように、接着剤をつけてから、２つのロウ栓５１をそれぞれ前記２つの通孔４２に挿入して固定し、目的のロウ型４を形成する。
【００１８】
この実施形態例において、前記ロウ栓５１は、大径部５１２と小径部５１１とを有し、且つ、挿入時に、該大径部５１２が前記大内径部４２２に内嵌し、該小径部５１１が前記小内径部４２１に内嵌する上、前記ロウ型本体４１の内部へ延びることができる管状のものである。
【００１９】
前記原型置き工程（Ａ）を行うために、先に、原型３３及びロウ型本体形成型３１を用意する必要がある。
原型３３とロウ型本体形成型３１との用意には、ロウ型本体取外し工程（Ｄ）において、成形したロウ型本体４１を原型３３とロウ型本体形成型３１とから容易に取り外すことができるために、目的のロウ型４の、同一の軸線に沿ってその断面が段段と小さくなる内外いずれの仮想表面から突出すべき部分を削除したものを基準とする。
【００２０】
即ち、図６に示すように、原型３３の外表面もロウ型本体形成型３１の裏表面も同一の軸線（Ｘ）に沿ってその断面が段段と小さくなっているので、ロウ型本体取外し工程（Ｄ）において原型３３をロウ型本体形成工程（Ｃ）において形成したロウ型本体４１から阻まれずに抜き出し、また、該ロウ型本体４１をロウ型本体形成型３１から容易に取り外すことができる。
【００２１】
原型３３とロウ型本体形成型３１との用意には、また、ロウ栓挿入工程（Ｅ）においてロウ栓５１の挿入により前記突出すべき部分を補完し目的のロウ型４を形成することができるために、ロウ型本体形成工程（Ｃ）においてロウ型本体４１に通孔４２を形成することができる組み合わせにさせる。
【００２２】
ロウ栓５１の挿入により前記突出すべき部分を補完し目的のロウ型４を形成することについては、目的のロウ型４の、同一の軸線に沿ってその断面が段段と小さくなる内外いずれの仮想表面から突出すべき部分を削除してなったロウ型本体４１に前記突出すべき部分を補完しロウ型４に元来形状を有するようにさせる。
【００２３】
次に、本発明の第二実施形態に係るゴルフクラブヘッド用ロウ型の製造方法を図５及び図９を参照しながら、説明する。
第二実施形態の製造方法は、図示のように、そのロウ型本体形成工程（Ｃ）で形成する通孔４２もロウ栓挿入工程（Ｅ）で使用するロウ栓５１も一つしかない以外、工程が大体第一実施形態のと同様である。
【００２４】
そのロウ栓５１（図９）も、第一実施形態例において使用するロウ栓と同様に、大径部５１２と小径部５１１とを有し、且つ、挿入時に、該大径部５１２が前記大内径部４２２に内嵌し、該小径部５１１が前記小内径部４２１に内嵌する上、前記ロウ型本体４１の内部へ延びることができる管状のものである。
【００２５】
しかし、前記小径部５１１の、前記ロウ型本体４１の内部に延びる先端５１３には、雌ネジ５１４がついていてこのロウ型の利用により形成したゴルフクラブヘッドに、雄ねじがついている錘（図に示さず）のねじつけで、その重心の調整をするようにさせることができる。
【００２６】
次に、本発明の第三実施形態に係るゴルフクラブヘッド用ロウ型の製造方法を図５及び図１０を参照しながら、説明する。
第三実施形態の製造方法は、そのロウ型本体形成工程（Ｃ）で形成する通孔４２もロウ栓挿入工程（Ｅ）で使用するロウ栓５１も一つしかない以外、工程が大体第一実施形態のと同様である。
【００２７】
そのロウ栓５１は、大径部５１２と小径部５１１とを有し、且つ、挿入時に、該小径部５１１が前記小内径部４２１に内嵌し、該大径部５１２が前記大内径部４２２に内嵌する上、前記ロウ型本体４１の外部へ延びることができる管状のものである。前記ロウ型本体４１の外部へ延びる管状の部分５１５（図１０参照）は、ゴルフクラブシャフト（図に示さず）と連接するものである。
【産業上の利用可能性】
【００２８】
叙上のように、本発明ゴルフクラブヘッド用ロウ型の製造方法は、薬品溶解性原型を利用しない簡単な工程で、複雑な構造のゴルフクラブヘッド用ロウ型を製造することができるため、コストの面からみればとても実用的である。
【００２９】
一方、本明細書内で本発明をいくつかの好ましい実施形態によって記述したが、当業者ならば、添付の特許請求の範囲に開示した本発明の範疇及び思想から外れずに、多くの変形及び修正がなされ得ることがわかるはずである。
【図面の簡単な説明】
【００３０】
【図１】従来のゴルフクラブヘッド用ロウ型の製造方法を説明する断面図である。
【図２】従来のゴルフクラブヘッド用ロウ型の製造方法の問題点を示す断面図である。
【図３】従来のゴルフクラブヘッド用ロウ型の他の製造方法における薬品溶解性原型の製造を説明する断面図である。
【図４】図３の薬品溶解性原型を使用してロウ型を製造する前記従来のゴルフクラブヘッド用ロウ型の他の製造方法を説明する断面図である。
【図５】本発明の第一実施形態に係るゴルフクラブヘッド用ロウ型の製造方法を説明するフローチャートである。
【図６】本発明の第一実施形態に係るゴルフクラブヘッド用ロウ型の製造方法におけるロウ型本体形成工程を説明する断面図である。
【図７】本発明の第一実施形態に係るゴルフクラブヘッド用ロウ型の製造方法におけるロウ栓挿入工程を説明する断面図である。
【図８】本発明の第一実施形態に係るゴルフクラブヘッド用ロウ型の製造方法で使用するロウ栓を説明する断面図である。
【図９】本発明の第二実施形態に係るゴルフクラブヘッド用ロウ型の製造方法で使用するロウ栓を説明する断面図である。
【図１０】本発明の第三実施形態に係るゴルフクラブヘッド用ロウ型の製造方法で使用するロウ栓を説明する断面図である。
【符号の説明】
【００３１】
４  目的のロウ型
１０、１７  ロウ型形成型
１１、１８、３２  キャビティ
１２、３３  原型
１３、３４  隙間
１４、１９  ロウ型
１５  原型形成型
１６  薬品溶解性原型
３１  ロウ型本体形成型
３５  注入口
４１  ロウ型本体
４２  通孔
５１  ロウ栓
３１１  ロウ型本体形成型の裏表面
３３１  原型の外表面
４１１  ロウ型本体の裏表面
４１２  ロウ型本体の外表面
４２１  小内径部
４２２  大内径部
５１１  小径部
５１２  大径部
５１３  小径部の先端
５１４  雌ネジ
５１５  管状の部分
【図１】
2010057789.tif 000003
【図２】
2010057789.tif 000004
【図３】
2010057789.tif 000005
【図４】
2010057789.tif 000006
【図５】
2010057789.tif 000007
【図６】
2010057789.tif 000008
【図７】
2010057789.tif 000009
【図８】
2010057789.tif 000010
【図９】
2010057789.tif 000011
【図１０】
2010057789.tif 000012